(57)【特許請求の範囲】
【請求項１】
先端からプラグ端子を突き出して保持する絶縁性の略円筒状の保持部材と、該保持部材を包囲する金属製のシールド部材とを備え、該シールド部材は前記保持部材が挿入される略円筒状のカバー部と、該カバー部の後端に連続して形成された前記プラグ端子に接続される同軸ケーブルの固定金具とを有してなる同軸ケーブル用コネクタであって、
前記保持部材は、外周表面に、先端から後方に筒軸と平行に延びる矩形断面の第１の溝と、該第１の溝の後端から間隔を置いて第１の溝の溝幅から前記筒後端まで次第に末広がりのテーパ状となる第２の溝とを形成し、かつ前記第２の溝の前端部は前記外周表面から溝底までスロープを有して形成され、
前記シールド部材のカバー部は、略円管状で、該管にツメを管内面から突出させて設け、該ツメは、前記第２の溝に案内された後、前記第１の溝内に落ち込んで係止され、
前記保持部材は、前記筒前端部の外周に、前記筒穴を正面から見て左右にそれぞれ外側に張り出すフランジ片を有し、前記ツメは、前記管前端が前記筒のフランジ片後面に当接した状態で前記第１の溝内に落ち込む位置に配したことを特徴とする同軸ケーブル用コネクタ。
【請求項２】
前記第１の溝は、前記保持部材の前記筒表面の上下に形成され、前記ツメは、前記シールド部材のカバー部の管上下に２つ設けられたことを特徴とする請求項１に記載の同軸ケーブル用コネクタ。
【請求項３】
先端からプラグ端子を突き出して保持する絶縁性の略円筒状の保持部材と、該保持部材を包囲する金属製のシールド部材とを備え、該シールド部材は前記保持部材が挿入される略円筒状のカバー部と、該カバー部の後端に連続して形成された前記プラグ端子に接続される同軸ケーブルの固定金具とを有してなる同軸ケーブル用コネクタであって、
前記カバー部は、円筒内面に突出する弾性を有するツメを有し、
前記保持部材は、該保持部材の後端から先端方向に延在させて外周面に形成された前記カバー部のツメを案内する矩形断面のガイド溝と、該ガイド溝の延長上の外周面の切除して該ガイド溝側から該保持部材の先端側に向かって上り勾配に形成されたスロープと、該傾斜面の先端から該保持部材の先端側に離れた位置に設けられた前記カバー部のツメが係止可能な凹部とを有してなり、
前記ガイド溝は、溝幅が前記保持部材の後端から先端に向かうにつれて除々に先細り状に形成されてなり、
前記ツメは、前記カバー部の内周面の対称位置に一対形成され、
前記凹部は、前記保持部材の外周面の対称位置に一対形成され、
前記ガイド溝の反対側の外周面に、後端から該保持部材の先端方向に延在させて前記一対のツメの一方を案内するスリットが形成され、該スリットの先端に連なり前記凹部から離れた位置に他の凹部が形成され、該他の凹部は、前記凹部に向かって前記保持部材の外周面に至る上り勾配のスロープを有して形成されてなることを特徴とする同軸ケーブル用コネクタ。
【請求項４】
前記保持部材は、前端部の外周に外側に張り出すフランジ片を有し、
前記カバー部の前記ツメは、前記カバー部の前端が前記フランジ片に当接した状態で前記凹部に落ち込む位置に配されたことを特徴とする請求項３に記載の同軸ケーブル用コネクタ。
【請求項５】
前記保持部材は、前記フランジ片の後方に該保持部材の軸方向に延在させて弾性を有するスプリング片が形成され、該スプリング片は、該保持部材に被冠される前記カバー部の先端内面と協働して該保持部材の円筒内面に突出して前記プラグ端子に形成された凹部に係止する係止部を有することを特徴とする請求項４に記載の同軸ケーブル用コネクタ。
【発明の詳細な説明】
【技術分野】
【０００１】
本発明は、同軸ケーブル用コネクタに係り、特にコネクタの構成部品の組立性を向上させるに好適なコネクタに関する。
【背景技術】
【０００２】
一般に、アンテナ線等として用いられる同軸ケーブルは、電磁波や静電気などの電気的ノイズを遮断すべく、絶縁内皮により被覆された芯線の外側を、編組線によって覆い、さらにその外側を絶縁シースにより被覆した構成となっている。そして、この様な同軸ケーブルを相手側の機器やコネクタに接続するための種々のコネクタが提案されている。（例えば、特許文献１〜３参照）
特許文献１に開示されたピンプラグ（本発明の同軸ケーブル用コネクタに対応）において、ピンを挿入固定する筒状のボディ１０（同保持部材に対応）にカバー３０を取り付けるためにボディ１０に一定幅の切欠１４（同溝に対応）を、カバー３０に突片３２（同ツメに対応）を設けて、切欠１４に突片３２を係合させることにより組み立てるように、両部品が構成されている。ボディにカバーを装着する際に、カバーの突片をボディの切欠の入口に位置合わせし、カバーをボディに押し入れる。突片は切欠に沿って所定の位置までに進み、そこで納まることになる。
【０００３】
【特許文献１】実開昭６４−９３７５号公報（第５頁、第1図）
【特許文献２】実開平２−７７８８４号公報（第１図）
【特許文献３】実開平３−４４７６号公報（第１図）
【発明の開示】
【発明が解決しようとする課題】
【０００４】
ところで、筒上下に一定な溝を形成して構成した保持部材に、上下にツメを設けカバーを、溝とツメを用いて装着する場合、先ず一つのツメを一つのガイド溝に位置合わせして嵌めるが、ツメとガイド溝間にガタがあるため、カバーがローリングする恐れがある。ローリングが起きると他方のツメが他のガイド溝に入らず、ボディ表面に乗り上げるため、組立作業が続行できず、位置決めをやり直さなければならないという問題がある。ローリングによる乗り上げは、ツメをガイド溝に沿わせながらカバーを保持部材に押し入れる途中でもおきる恐れがある。
【０００５】
本発明の課題は、上記問題を解決して、コネクタの構成部品、すなわちプラグ端子を固定する保持部材と、保持部材を覆うカバー及び同軸ケーブルを固着する金具を有するシールド部材とを、保持部材に形成した溝とシールド部材のカバーに設けたツメを介して容易に装着でき、組立性に優れた同軸ケーブル用コネクタを提供することにある。
【課題を解決するための手段】
【０００６】
上記課題を解決するために、本発明の同軸ケーブル用コネクタは、先端からプラグ端子を突き出して保持する絶縁性の略円筒状の保持部材と、該保持部材を包囲する金属製のシールド部材とを備え、該シールド部材は前記保持部材が挿入される略円筒状のカバー部と、該カバー部の後端に連続して形成された前記プラグ端子に接続される同軸ケーブルの固定金具とを有してなる同軸ケーブル用コネクタであって、前記保持部材は、外周表面に、先端から後方に筒軸と平行に延びる矩形断面の第１の溝と、該第１の溝の後端から間隔を置いて第１の溝の溝幅から前記筒後端まで次第に末広がりのテーパ状となる第２の溝とを形成し、かつ前記第２の溝の前端部は前記外周表面から溝底までスロープを有して形成されたことを特徴とする。
【０００７】
上記構成の保持部材とシールド部材を組み立てる場合、一般的には先ずシールド部材の管状カバーに設けたツメを筒状の保持部材に形成した第２の溝の後端である入口に位置合わせする。それからツメが第２の溝に入った状態で保持部材に対してカバーを前方に推し進める。ツメは第２の溝前端部で弾性変形しながらスロープを登り、筒表面に乗り上げて、ある間隔だけ進んでから、第１の溝の後端からその溝内に落ち込む。かくしてシールド部材は、所定位置で保持部材に組み合わされる。
【０００８】
このとき、第２の溝は幅は後方に向かって末広がりになっているために、平行溝の場合より溝の入口にツメを合わせるのが容易になり、ツメが前進している間にローリングしても末広がりの分だけ溝内に留まりやすく、筒表面への乗り上げを防止でき、したがって保持部材とシールド部材の組み立てを容易に行うことができる。
【０００９】
また、保持部材は、筒前端部の外周に、筒穴を正面から見て左右にそれぞれ外側に張り出すフランジ片を有し、ツメは、管前端が筒のフランジ片後面に当接した状態で第１の溝内に落ち込む位置に配した構成とする。
【００１０】
さらに、第１の溝は、保持部材の筒表面の上下に形成され、ツメは、シールド部材のカバーの管上下に２つ設けられた構成とする。
【００１１】
これらの構成とすることにより、保持部材とシールド部材の組み立てをより容易に行うことができる。
【００１２】
また、上記課題を解決する本発明の他の発明の同軸ケーブル用コネクタは、  先端からプラグ端子を突き出して保持する絶縁性の略円筒状の保持部材と、該保持部材を包囲する金属製のシールド部材とを備え、該シールド部材は前記保持部材が挿入される略円筒状のカバー部と、該カバー部の後端に連続して形成された前記プラグ端子に接続される同軸ケーブルの固定金具とを有してなる同軸ケーブル用コネクタであって、前記カバー部は、円筒内面に突出する弾性を有するツメを有し、前記保持部材は、外周表面の後端から該保持部材の先端方向に延在させて形成された前記カバー部のツメを案内する矩形断面で溝幅が前記保持部材の後端から先端に向かうにつれて除々に先細り状のガイド溝と、該ガイド溝の先端から前記保持部材の先端側に離れた位置の外周表面に設けられた前記カバー部材のツメが係止可能な第１の凹部と、前記ガイド溝と前記第１の凹部との間の外周表面に設けられた開口穴と、該開口穴と前記第１の凹部との間に形成された第２の凹部とを有し、前記第２の凹部の少なくとも前記第１の凹部側の一部の深さが、前記第１の凹部に向かって前記保持部材の外周表面に至るスロープを有して形成されてなることを特徴とする。
【００１３】
上記の場合において、前記ツメは、前記カバー部の内周面の対称位置に一対形成され、前記第１の凹部は、前記保持部材の外周表面の対称位置に一対形成され、  前記ガイド溝の反対側の外周表面に、後端から該保持部材の先端方向に延在させて前記一対のツメの一方を案内するスリットが形成され、該スリットの先端に連なり前記第１の凹部から離れた位置に第３の凹部が形成され、前記第３の凹部は、前記第１の凹部に向かって前記保持部材の外周表面に至るスロープを有して形成されてなるものとすることができる。
【発明の効果】
【００１４】
本発明によれば、同軸ケーブル用コネクタの構成部品、すなわちプラグ端子を固定する保持部材と、保持部材を覆うカバー及び同軸ケーブルを固着する金具を有するシールド部材とを、容易に組み立てることができる。
【発明を実施するための最良の形態】
【００１５】
（実施形態1）
以下、本発明を適用してなる同軸ケーブル用コネクタの一実施形態について図１〜３を参照して説明する。図１は、本発明の一実施形態となる同軸ケーブル用コネクタの構成部品の斜視図、図２は図１のＡ−Ａ矢視図、図３は本発明の一実施形態となる同軸ケーブル用コネクタの組立てた状態を示す縦断面図である。
【００１６】
本発明の一実施形態となる同軸ケーブル用コネクタは、筒状で該筒の先端からプラグ端子３を突出させて保持する保持部材１と、該保持部材１の筒を収納するカバー部及び該カバー部の後端に接続して、同軸ケーブル４を圧着する金具部から構成されるシールド部材２とを備えている。保持部材１は絶縁材料から構成されており、シールド部材２は金属製である。
【００１７】
保持部材1は、略円筒状で筒５の穴６先端部にプラグ端子３を挿入固定する。保持部材１の筒穴６を正面から見て筒５先端の外周の左右部分にはそれぞれ、外側に張り出すフランジ片７が形成されており、筒５外周の上下にはそれぞれ先端から筒軸に平行に一対の溝が形成され、さらに該溝の後端からある間隔をおいて別の溝が筒の終端まで形成されている。一つの溝は、シールド部材２を保持部材１に固定するためにシールド部材のカバー１１に形成したツメ１３を留める係止溝８（第１の溝）であり、別の溝はそのツメ１３を係止溝８まで案内するガイド溝９（第２の溝）である。係止溝８は浅い矩形断面を有し溝幅は一定である。一方、ガイド溝９は係止溝８と溝深さは同じであるが、溝幅はその溝前端で係止溝８と同一で筒５終端に行くにつれて末広がりとなるテーパ状である。係止溝８とガイド溝９の幅方向中心線は一直線上にある。なお、係止溝８の終端は筒５表面から直角的に深くなり、ガイド溝９の前端部はスロープ状に形成されており筒５表面から次第に深くなる。
【００１８】
シールド部材２は、保持部材1の筒５を嵌入して収納するカバー部１０と、該カバー部１０の後端の下面から後方に延びて形成されて、同軸ケーブル４を圧着固定する圧着金具部１２とから構成されている。
【００１９】
シールド部材２のカバー１０は、略管状でその管１１の上部には前端寄りに管内に突出するツメ１３が形成されている。また管１１の軸心に関して管１１上部のツメ１３と対称の位置の管１１下部にもう一つのツメ１４が形成されている。これらの上下にあるツメ１３、１４の折れ曲げ深さ及び幅は、ツメ１３、１４が保持部材1の係止溝８にスムーズに入りかつそこに係止するに適切な寸法としている。またカバー１０は、その管１１の側面側に管表面から外側に管長手方向に延び出し、それから湾曲して管表面方向に戻るように形成された４本の板状のスプリング片１５を、チューブ正面から見て左右対称に有している。このスプリング片１５は、シールド部材２を覆う保護カバー(図示しない)を装着するために用いられ、スプリング片１５の湾曲部分を保護カバーに形成された長穴にはめ込むことによって保護カバーを装着する。
【００２０】
シールド部材２の圧着金具部１２は、カバー１０の後端の底部から後方に延びるほぼ平らな基板１７と、該基板１７の両側縁から立ち上がる第１の圧着用板１８と第１の圧着用板１８後方で同様に基板１７の両側縁から立ち上がる第２の圧着用板１９とを有している。また基板１７には第１の圧着用板１８、１８に挟まれる位置に底板２１と該底板２１の両側縁から立ち上がりそれらの先端が互いに近づく方向に傾斜する側板２２からなる小片２０が設けられている。ところでシールド部材２は、前部のカバー１０の部分から後部の第２の圧着用板１９まで小片２１を除いて板からプレス成形され、そしてカバー１０の部分は管状に曲げ加工される。したがってカバー１０の頂部にスリットが残っている。小片２０は基板１７に接合されている。ここでカバー１０の上部のツメ１３は、スリットをまたいだ位置で左右に分割されて形成されているが、これは単に加工上の都合によるもので、カバー１０下部ある一体物のツメ２６と、ツメの長さ、幅及びその機能については同一である。
【００２１】
次に保持部材１とシールド部材２の組立要領について説明する。まず、保持部材１の筒５に形成した２つのテーパ状ガイド溝９後端の溝入口に、シールド部材２のカバー１０(管１１ともいう)前部に設けたツメ１３,１４を位置合わせし、それから各ガイド溝９にツメ１３,１４がはまり込んだ状態で保持部材１に対してシールド部材２を押し進める。ツメ１３,１４はガイド溝９前端部でスロープ９ａに沿って弾性変形し筒５表面に乗り上げ、そのまま僅かな距離を進んだ後に、係止溝８に落ち込む。この時、管１１の先端は保持部材１のフランジ片７に当接する。従って、シールド部材２は保持部材１の左右のフランジ片７及び上下の係止溝８の４箇所で拘束されて、固定されることになる。
【００２２】
ガイド溝９は、幅をテーパ状として溝入口を平行溝より拡張したので、ツメとガイド溝の位置合わせを容易にできる。また、カバー１０上部のツメ１３、下部のツメ１４が、それぞれ上下のガイド溝９を通る時、上部のツメ１３と上部のガイド溝９の間、下部のツメ１４と下部のガイド溝９の間にあるガタのために、ガタの間でカバー１０がローリングするが、上下部ガイド溝９には幅方向にテーパが設けられているために、ローリングした場合でも、上部のツメ１３、下部係止ツメ１４を容易にガイド溝９内に留まる。その結果、両ツメ１３, １４は保持部材１の筒５表面に乗り上げることなく、組立が容易に行うことができる。さらに、ガイド溝９の幅をテーパ状にしたので、ツメ１３, １４が上下のガイド溝９入り口でガタなく位置決めされ、また係止溝８への移行時にも該溝からはずれて筒５表面に乗り上げることを防止でき、コネクタの組立性を向上せることができる。
【００２３】
最後に、保持部材１とシールド部材２から構成されるコネクタと同軸ケーブルの接続について説明する。同軸ケーブル４は、図５に示すように、軸心部に配置された芯線２５の周囲を順次に絶縁内皮２６、編組２７、絶縁シース２８により多層に被覆して構成し、さらに芯線２５の先端部を挿入した略円筒状のインナー端子２９が圧着接続されている。芯線２５を被覆する絶縁内皮２６の先端部は編組２７から突き出して露出し、編組２７先端部は絶縁シース２８から突き出して露出している。コネクタに同軸ケーブルを接続する時、インナー端子２９が保持部材１の筒５に固定されるプラグ端子３に当接する位置までコネクタ内に押し込み、小片２０の側片２２の後部が絶縁内皮２６と編組２７先端部との隙間に差し込まれた状態で、編組２７露出部分、絶縁シース２８先端部をそれぞれシールド部材２の第１の圧着用板１８、１８、第２の圧着用板１９、１９により圧着する。小片２０は圧着時に編組２７が過大に変形するのを防ぐ。
【００２４】
（実施形態２）
本発明の他の実施形態について図５〜８を参照して説明する。本実施形態が実施形態１と異なる点は、保持部材１の構成にある。図５は本実施形態の保持部材１の斜視図、図６は図５のＣ−Ｃ矢視図、図７は図５のＣ−Ｃ断面図、図８は図６の断面図である。それらの図において、実施形態１と同一機能、同一構成を有する部材には同一の符号を付して説明を省略する。本実施形態が、実施形態１と相違する点は、ガイド溝９の機能に係る構成と、フランジ片７の後方にスプリング片３０が形成されていることにある。
【００２５】
実施形態１のガイド溝９は、図２に示したように、筒５の外周の対称位置に同一形状のガイド溝９が一対形成されていた。これに対し、本実施形態のガイド溝の機能は、筒５の外周の対称位置に形成されている点は共通するが、ガイド溝の構成が相違する。すなわち、図５と図７に表れているように、筒５の外周表面の後端から先端方向に延在させてスリット３１が形成されている。このスリット３１は、カバー１０に形成されたツメ１３、１４の一方を案内するもので、スリット幅はツメ１３、１４の幅を基準に形成されている。特に、スリット３１の先端に連なる筒５の外周部に凹部３２が形成されている。この凹部３２のスリット３１との境界部の深さは、図２のガイド溝９の深さと同等であるが、凹部３２の底面は、図２のスロープ９ａと同様に、係止溝８に向かって徐々に浅くなる上り勾配のスロープを有して形成されている。
【００２６】
一方、筒５のスリット３１の反対側には、図６と図７に表れているように、筒５の外周表面の後端から先端方向に延在されたガイド溝３３と、このガイド溝３３の先端位置の筒５に設けられた矩形の開口穴３４と、この開口穴３４の係止溝８側に、スロープ（傾斜面）３５が形成されている。ガイド溝３３は、カバー１０に形成されたツメ１３、１４の他方を案内するもので、矩形断面に形成され、溝幅はツメ１３、１４の幅を基準に形成されている。また、筒５の後端から先端に向かうにつれて溝幅が先細り状に形成され、これによってカバー１０を被冠するときの位置決めを容易にするようになっている。
【００２７】
また、スロープ３５は、図７に表れているように、ガイド溝３３の延長上であって、開口穴３４の先端側に隣接する筒５の外周面の一部を切除して、ガイド溝３３側から筒５の先端側に向かって上り勾配に形成されている。つまり、図６に現れているように、スロープ３５の形状は、円筒の外周面をスロープ３５の傾斜に合わせて斜めに切除したように形成されている。なお、本実施形態では、スロープ３５の開口穴３４側に、平坦部３６が形成されているが、必ずしも平坦部３６を設ける必要はない。スロープ３５と開口穴３４の境界のスロープ面または平坦部３５の深さは、ガイド溝３３の溝底面とほぼ同じ深さに形成することができるが、必ずしも一致させる必要はない。このように形成されたスロープ３５の先端から筒５の先端側の離れた位置にツメ１３、１４が係止可能な凹部である係止溝8が形成されている。
【００２８】
他方、図５、図６および図８に表れているように、フランジ片７の後方に設けられた一対のスプリング片３０は、基端部の外面は筒５の外表面と面一に形成され、フランジ７側の先端部の高さはフランジ７とほぼ同じ高さになるように傾斜させて形成されている。また、スプリング片３０の先端部の筒５の内面側には、凸状の係止部３０ａが設けられている。なお、図５中の符号３８は、保持部材１内に収納されるプラグ端子との係止部材である。
【００２９】
このように構成されることから、本実施形態によれば、シールド部材２のカバー１０のツメ１３、１４を、保持部材１のスリット３１とガイド溝３３に位置合わせして、シールド部材２を保持部材１に装着させる方向に押すと、ツメ１３、１４がスリット３１とガイド溝３３に案内されてスムーズに凹部３２とスロープ３５に達する。凹部３２とスロープ３５に達したツメ１３、１４は、スロープに沿って弾性変形し、筒５の表面に乗り上げて、さらに進んだ後に係止溝８に落ち込む。この時、カバー１０の先端が保持部材１のフランジ片７に当接し、シールド部材２は左右のフランジ片７と上下の係止溝８の４箇所で拘束されて固定される。
【００３０】
一方、スプリング片３０は、筒５の先端部により押し下げられて弾性変形し、係止部３０ａが筒５の内面に突出し、図示していない円柱状のプラグ端子の外周面に形成された穴などに係合して、プラグ端子を確実に固定するようになっている。
【００３１】
本実施形態によれば、実施形態１と同様の効果を奏することができる。なお、本実施形態によれば、ガイド溝３３とスロープ３５との間に、開口穴３４が設けられているから、この開口孔３４の位置ではツメ１３または１４のガイド機能が得られない。しかし、反対側のスリット３１および凹部３２によりツメ１３または１４がガイドされるから、スムーズに係止溝８に案内することができる。
【図面の簡単な説明】
【００３２】
【図１】本発明を適用してなる同軸ケーブル用コネクタの一実施形態の概略構成を示す斜視図である。
【図２】図１のＡ-Ａ矢視図である。
【図３】本発明を適用してなる同軸ケーブル用コネクタの一実施形態の組立状態を示す縦断面図である。
【図４】同軸ケーブルの構成を示す斜視図である。
【図５】本発明の他の実施形態の特徴部の保持部材の斜視図である。
【図６】図５のＣ−Ｃ矢視図である。
【図７】図５のＣ−Ｃ断面図である。
【図８】図６の断面図である。
【符号の説明】
【００３３】
１  保持部材
２  シールド部材
３  プラグ端子
４  同軸ケーブル
５  筒
６  筒穴
７  フランジ片
８  係止溝
９  ガイド溝
１０  カバー
１１  管
１２  圧着金具部
１３  ツメ
１４  ツメ
１５  スプリング片
１７  基板
１８  第１の圧着用板
１９  第２の圧着用板
２０  小片
【図１】
0004841827.tif 000002
【図２】
0004841827.tif 000003
【図３】
0004841827.tif 000004
【図４】
0004841827.tif 000005
【図５】
0004841827.tif 000006
【図６】
0004841827.tif 000007
【図７】
0004841827.tif 000008
【図８】
0004841827.tif 000009